(57)【要約】【課題】釣り糸を巻き取る際の操作性と安全性を高めた釣り糸巻取用枠を提供する。【解決手段】釣り糸巻取用枠１０は、対向する２枚の縦板１１を２枚の横板１２で連結するようにして形成されている。横板１２と縦板１１とが連結された領域で横板１２の外側に沿って、平面視したときに三角形状をなすスペーサー１３が設けられている。縦板１１の長手方向に沿って、横板１２にほぼ平行に横糸１４が間隔を置いて張られている。釣り糸を巻き取る際にスペーサー１３に掛かった釣り糸は、スペーサー１３の傾斜面を滑って、スペーサー１３が設けられていない領域で巻き取られる。そのため、釣り糸は釣り糸巻取用枠１０の中央寄りの領域で巻き取られ、両側の縦板１１に近い側には釣り糸が存在しない領域ができる。この釣り糸が存在しない領域において、擬餌針を横糸１４に引掛けて固定することができる。【選択図】図１
2008099584.tif 000002
【特許請求の範囲】
【請求項１】
釣り糸を巻き取るために用いられる釣り糸巻取用枠において、対向する２枚の縦板を２枚の横板で連結するようにして形成され、前記横板と前記縦板とが連結された領域で前記横板の外側に沿って、平面視したときに一部または全部が三角形状をなすスペーサーが設けられ、前記縦板の長手方向に沿って、前記横板にほぼ平行に複数の横糸が間隔を置いて張られていることを特徴とする釣り糸巻取用枠。
【発明の詳細な説明】
【技術分野】
【０００１】
本発明は、複数の仕掛けが取り付けられた釣り糸を巻き取る際に用いられる釣り糸巻取用枠に関する。
【背景技術】
【０００２】
イカ釣り等を手釣りで行う際に、１本の幹糸に複数の擬餌針を繋ぎ先端に錘を設けた仕掛けが用いられている。イカ釣りにおいては、イカの群れが逃げないようにこの仕掛けを素早く海中へ投入する必要があり、また、釣り糸を巻き取る際には、釣り糸がもつれないように手早く巻き取ることが必要である。このことはイカ釣りに限らず、魚釣りの場合も同様である。
【０００３】
仕掛けを素早く投入し、釣り糸をもつれないように手早く巻き取るためには、これらの釣り用具を収納して固定するための道具が必要であり、このような有効な道具がないと、一人で多くの釣り用具を使用して作業することが多い現状においては、慌ててトラブルが発生することとなる。
【０００４】
従来用いられている釣り糸巻取用枠を図３に示す。
図３において、釣り糸巻取用枠５０は、対向する２枚の縦板５１を２枚の横板５２で連結するようにして形成されており、縦板５１には紐５３が巻き付けられている。
図４に、この釣り糸巻取用枠５０を用いて釣り糸を巻き取った状態を示す。また、図５に、手釣り用に通常用いられる釣り糸の構造を示す。釣り糸２０は、擬餌針２１が先端に取り付けられた複数の枝糸２２が、幹糸２３に連結された構造となっている。
【０００５】
釣り糸の巻き取りは天候によっては手早く行うことが要求されるため、時間をかけて丁寧に釣り糸を揃えることができない場合もある。そのため、巻き取られた釣り糸は乱雑になりやすく、擬餌針２１が不規則に釣り糸に引掛かった状態となりやすい。縦板５１に巻き付けられた紐５３は、擬餌針２１を引掛けて固定するために設けられているものであるが、紐５３を指で縦板５１からある程度引き離して隙間を作り、その隙間に擬餌針２１を引掛けることが必要であるため、操作上不便であった。また、固定された擬餌針２１は鋭い針先を有しており、この針先が縦板５１上に露出する配置となるため、作業者は怪我をしやすく、操作性と安全性の点で問題があった。
【０００６】
特に、イカ釣り用に用いられる擬餌針２１は、針先が分かれているため、針先を紐５３に掛けても掛かりが浅くなってはずれやすく、巻き取りを急ぐときには巻かれた幹糸２３の上に巻き込むことがあり、針先が露出して絡み合い、糸を解くのに手間がかかっていた。そのほか、縦板５１にスポンジ等を巻いて針を掛けて使用されることもあるが、この場合にも操作性と安全性の点で問題があり、これらの不便さを解決するためには枠の改良が必要であった。
釣り糸巻取用枠に関する先行技術として、特許文献１に記載されたものがある。
【０００７】
【特許文献１】実開昭５９−４２１６５号公報
【発明の開示】
【発明が解決しようとする課題】
【０００８】
特許文献１に記載された釣り糸巻取用枠は、磁石を備えることによって巻き取る際の利便性を高めたものであるが、鋭い針先を有する擬餌針はやはり釣り糸と一緒に巻き取られてしまうため、安全性の改善という点では問題が残る。また、特許文献１に記載された釣り糸巻取用枠は、磁石を備えた魚釣り用の枠であって、先端が分かれたイカ釣り用の擬餌針を固定するためには相当の吸引がないと固定は難しく、イカ釣り用の枠としては不向きである。
本発明は、以上の問題点を解決するためになされたもので、釣り糸を巻き取る際の操作性と安全性を高めた釣り糸巻取用枠を提供することを目的とする。
【課題を解決するための手段】
【０００９】
以上の課題を解決するために、本発明の釣り糸巻取用枠は、釣り糸を巻き取るために用いられる釣り糸巻取用枠において、対向する２枚の縦板を２枚の横板で連結するようにして形成され、前記横板と前記縦板とが連結された領域で前記横板の外側に沿って、平面視したときに一部または全部が三角形状をなすスペーサーが設けられ、前記縦板の長手方向に沿って、前記横板にほぼ平行に複数の横糸が間隔を置いて張られていることを特徴とする。
【００１０】
釣り糸を巻き取る際にスペーサーに掛かった釣り糸は、スペーサーの傾斜面を滑って、スペーサーが設けられていない領域で巻き取られるようになるため、釣り糸は釣り糸巻取用枠の中央寄りの領域で巻き取られ、両側の縦板に近い側には釣り糸が存在しない領域ができる。この釣り糸が存在しない領域において、擬餌針を横糸に引掛けて固定することができるため、従来のもののように手間をかけずに擬餌針を固定することができ、擬餌針の針先が釣り糸と混在することがなく、作業者が針先で怪我をすることがない。
スペーサーの形状について、一部または全部が三角形状をなすこととしたのは、スペーサーが全体として三角形状である場合の他、台形のようにその一部が三角形状である場合も含む意味である。いずれの場合であっても、スペーサーを設けることによって、横板に沿って中央側に近づくほど高さが低くなるような傾斜面を有していればよい。
【発明の効果】
【００１１】
本発明によると、擬餌針を釣り糸と分離して簡便に枠に固定することができるため、操作性と安全性を高めた釣り糸巻取用枠を実現することができる。
【発明を実施するための最良の形態】
【００１２】
以下に、本発明の釣り糸巻取用枠を、その実施形態に基づいて説明する。
図１に、本発明の実施形態に係る釣り糸巻取用枠の構成を示す。
図１（ａ）は釣り糸巻取用枠の平面図であり、図１（ａ）において、釣り糸巻取用枠１０は、対向する２枚の縦板１１を２枚の横板１２で連結するようにして形成されている。横板１２と縦板１１とが連結された領域で横板１２の外側に沿って、平面視したときに三角形状をなすスペーサー１３が設けられている。このスペーサー１３は、縦板１１と接する側の高さが高く、横板１２に沿って中央側に近づくほど高さが低くなるような傾斜面を有している。図示したものは傾斜面が平面視したときに直線状であるが、曲線状のものであってもよい。
【００１３】
縦板１１の長手方向に沿って、横板１２にほぼ平行に横糸１４が間隔を置いて張られている。縦板１１と横板１２は木材を加工して形成することができる。また、枠の方向を変えて縦板１１を横向きにして使用するときには、図１（ｂ）に示す斜視図のように、横板１２はビニールパイプを用いて形成してもよい。横糸１４はビニール線などによって形成することができる。
【００１４】
図２に、釣り糸巻取用枠１０に釣り糸が巻き取られた状態を示す。釣り糸２０は、１本の幹糸２３に複数の擬餌針２１を繋ぎ先端に錘を設けた状態で巻き取られるが、釣り糸巻取用枠１０にはスペーサー１３が設けられているため、巻き取る際にスペーサー１３に掛かった釣り糸２０は、スペーサー１３の傾斜面を滑って、スペーサー１３が設けられていない領域で巻き取られるようになる。その結果、釣り糸は釣り糸巻取用枠１０の中央寄りの領域で巻き取られ、両側の縦板１１に近い側には釣り糸が存在しない領域ができる。
【００１５】
図３に示した従来の釣り糸巻取用枠５０を用いて図４に示すように巻き取ると、釣り糸巻取用枠５０のほぼ全面に亘って釣り糸２０が巻き取られるため、擬餌針２１は釣り糸に引掛かった状態となりやすいのに対して、図２に示すように、本発明の釣り糸巻取用枠１０を用いると、両側の縦板１１に近い側に形成される、釣り糸が存在しない領域において、擬餌針２１を横糸１４に引掛けて固定することができる。そのため、擬餌針２１の針先が釣り糸と混在することなく、簡単に固定することができる。擬餌針２１を横糸１４に引掛ける際に、擬餌針２１の位置が横糸１４に合わず、そのままではうまく引掛けることができないときは、枝糸２２を適宜、縦板１１の先端部１５に巻き付けてその長さを調整して擬餌針２１の位置が横糸１４に合うようにすることができる。
【００１６】
また、擬餌針２１の厚みより縦板１１の厚みが十分に厚くなるようにすると、擬餌針２１を横糸１４に引掛けて固定したときに、擬餌針２１は縦板１１の厚みの範囲内で固定されるようになることから、作業者が直接擬餌針２１に触れにくくなり、作業者が針先で怪我をすることがない。この点は、図３，図４に示す従来の場合のように、針先が縦板５１上に露出するものと大きく異なる点であり、安全性の点で優れている。このことは、イカ釣りの場合ばかりでなく、魚釣りのときに使用される、釣り針が多数取り付けられた釣り道具の場合においても同様である。
【産業上の利用可能性】
【００１７】
本発明は、擬餌針を釣り糸と分離して枠に固定することができ、操作性と安全性を高めた釣り糸巻取用枠として利用することができる。
【図面の簡単な説明】
【００１８】
【図１】本発明の実施形態に係る釣り糸巻取用枠の構成を示す図であり、（ａ）は平面図、（ｂ）は斜視図である。
【図２】本発明の実施形態に係る釣り糸巻取用枠に釣り糸が巻き取られた状態を示す図である。
【図３】従来用いられている釣り糸巻取用枠を示す図である。
【図４】従来用いられている釣り糸巻取用枠に釣り糸が巻き取られた状態を示す図である。
【図５】手釣り用に通常用いられる釣り糸の構造を示す図である。
【符号の説明】
【００１９】
１０  釣り糸巻取用枠
１１  縦板
１２  横板
１３  スペーサー
１４  横糸
１５  先端部
２０  釣り糸
２１  擬餌針
２２  枝糸
２３  幹糸
【図１】
2008099584.tif 000003
【図２】
2008099584.tif 000004
【図３】
2008099584.tif 000005
【図４】
2008099584.tif 000006
【図５】
2008099584.tif 000007